(57)【要約】【課題】無線通信装置に搭載されるバッテリーの残量を考慮して通信方式を切り替えて消費電力を抑制する無線通信装置、無線通信方法、無線通信システムを提供する。【解決手段】無線通信装置には、複数の無線通信方式を備え、無線データ通信を開始する前に通信環境における各通信方式の実効速度を把握し、各通信方式でデータ通信するのに必要な電力量、無線通信を完了しておくべき時間の関係を管理して、通信を完了しておかないといけない時間内でバッテリーの消費が最も少なくなるように通信方式を選択し、無線通信装置のバッテリー残量を把握し、データ通信に必要な電力量と比較することで通信の可否を判断する。【選択図】      図１
2009135706.tif 000002
【特許請求の範囲】
【請求項１】
異なる変復調方式の第１の無線部と第２の無線部を備え、バッテリーにより動作する無線通信装置であって、
予め決められたサンプルデータを前記第１の無線部から送信先の無線通信装置に送信するとともに、前記サンプルデータの送信時刻と送信側のバッテリー残量を記録し、
送信した前記サンプルデータを前記送信先の無線通信装置で受信したときの受信時刻と送信先のバッテリー残量を前記送信先の無線通信装置から取得し、
前記サンプルデータのデータ量と前記送信時刻と前記受信時刻から前記第１の無線部と前記第２の無線部の通信スループットを算出し、前記送信側のバッテリー残量と前記送信先のバッテリー残量の少ないバッテリー残量を選択し、
前記通信スループットから算出した前記第１の無線部と第２の無線部の消費電力量が該バッテリー残量より小さくなる前記第１の無線部の第１の通信時間と前記第２無線部の第２の通信時間を算出し、
送信データを送信するとき、前記第１の無線部で前記第１の通信時間送信したのち、前記第２の無線部に切り替えて前記第２の通信時間送信データの残りを送信する切替信号を出力する制御部を具備することを特徴とする無線通信装置。
【請求項２】
送信側の前記無線通信装置であるとき、前記切替信号に従い送信データを送信する前記第１の無線部と第２の無線部を切り替えることを特徴とする請求項１に記載の無線通信装置。
【請求項３】
前記送信先の無線通信装置であるとき、前記送信側の無線通信装置からの前記切替信号に従い前記第１の無線部と第２の無線部を切り替えることを特徴とする請求項２に記載の無線通信装置。
【請求項４】
前記送信先の無線通信装置であるとき、前記送信側の無線通信装置に前記受信時刻と前記送信先のバッテリー残量を送信することを特徴とする請求項３に記載の無線通信装置。
【請求項５】
前記請求項１〜４に記載の無線通信装置を備えた無線通信システム。
【請求項６】
異なる変復調方式の第１の無線部と第２の無線部を備え、バッテリーにより動作する無線通信装置の無線通信方法であって、
予め決められたサンプルデータを前記第１の無線部から送信先の無線通信装置に送信するとともに、前記サンプルデータの送信時刻と送信側のバッテリー残量を記録し、
送信した前記サンプルデータを前記送信先の無線通信装置で受信したときの受信時刻と送信先のバッテリー残量を前記送信先の無線通信装置から取得し、
前記サンプルデータのデータ量と前記送信時刻と前記受信時刻から前記第１の無線部と前記第２の無線部の通信スループットを算出し、前記送信側のバッテリー残量と前記送信先のバッテリー残量の少ないバッテリー残量を選択し、
前記通信スループットから算出した前記第１の無線部と第２の無線部の消費電力量が該バッテリー残量より小さくなる前記第１の無線部の第１の通信時間と前記第２無線部の第２の通信時間を算出し、
送信データを送信するとき、前記第１の無線部で前記第１の通信時間送信したのち、前記第２の無線部に切り替えて前記第２の通信時間送信データの残りを送信する切替信号を出力する、
ことを特徴とする無線通信方法。
【発明の詳細な説明】
【技術分野】
【０００１】
本発明は、無線通信装置の消費電力の抑制に係り、特に、複数の通信方式を設ける無線通信装置の消費電力を抑制する技術に関する。
【背景技術】
【０００２】
従来、携帯電話などの無線装置や、自動車などに搭載される無線装置は、バッテリーを搭載している。例えば自動車の場合、停車して無線通信するときは、消費電力を極力抑える必要がある。その為には、バッテリーの本来の目的であるエンジン始動の妨げにならないように常に、バッテリー残量を考慮した通信が必要である。
【０００３】
つまり、自動車のバッテリーのように本来の目的であるエンジンの始動ができなくなるほど（バッテリー上がり）、無線通信により電力を消費することを避けなければならず、バッテリー残量を考慮した通信が必要となる。そこで、高速通信と低速通信の複数の方式を併用して通信を行ない消費電力を抑制する提案がされている。
【０００４】
また、無線通信では、通信環境によって１ビットあたりの消費電力が変化する。よって、低消費電力化を行なうには、通信環境を加味した通信方式を選択する必要がある。
特許文献１では、高速のＵＷＢ（Ultra Wide Band）伝送チャンネルと低速のＵＷＢ伝送チャンネルの２つのチャンネルを有する構成を持ち、必要に応じて方式を使い分けて消費電力を抑制する提案がされている。また、制御情報として、通信時間予約要求情報を受けたとき、この情報に基づきデータ送信する。このように構成することにより、無線通信の待ち受け状態での低消費電力化、および他通信装置との通信衝突回避を行うことができる。
【０００５】
特許文献２では、移動電話網に接続可能な車載移動電話通信機と、ＩＰ網に接続可能な車載無線ＬＡＮ通信機と、を備える車載無線ＬＡＮシステムを用いる。車外のデータ端末から車載無線ＬＡＮ通信機へＩＰ網を介して無線ＬＡＮ起動要求信号を送る。ここで、初めて無線ＬＡＮ装置が起動、要求データをＩＰ網を介して車外のデータ端末へデータ送信する。待ち受けはスリープで、低消費状態。車外から要求があった時のみ無線ＬＡＮが起動するので、消費電力は抑制される。特に、駐車した状態では有効である。
【０００６】
特許文献３では、送信側で低速パケット通信モードか高速モードかのどちらかで送信し、受信側は両者モードを受信できる装置を備えて受信をする。同期検波して、どちらのモードかを判断・選択する。このように変調方式を変えることで、通信速度を変えて効率的なパケット通信をする提案がされている。
【０００７】
しかしながら、特許文献１〜３では、無線通信を行う際に電力消費量を極力抑えるように無線通信方式を切り替えているが、バッテリーの残量を考慮して通信方式を切り替えていない。そのため、実際にバッテリーの残量が少なくなっても無線通信方式を切り替えて通信をしてしまうという問題がある。
【特許文献１】特開２００６−２０２８９号公報
【特許文献２】特開２００６−１２９０１９号公報
【特許文献３】特開平１０−１６４１５７号公報
【発明の開示】
【発明が解決しようとする課題】
【０００８】
本発明は上記のような実情に鑑みてなされたものであり、バッテリーの残量を考慮して無線通信の消費電力を抑制した通信を実行する無線通信装置、無線通信方法、無線通信システムを提供することを目的とする。
【課題を解決するための手段】
【０００９】
本発明の態様のひとつである異なる変復調方式の第１の無線部と第２の無線部を備え、バッテリーにより動作する無線通信装置であって、制御部は、予め決められたサンプルデータを前記第１の無線部から送信先の無線通信装置に送信するとともに、前記サンプルデータの送信時刻と送信側のバッテリー残量を記録する。また、送信した前記サンプルデータを前記送信先の無線通信装置で受信したときの受信時刻と送信先のバッテリー残量を前記送信先の無線通信装置から取得する。前記サンプルデータのデータ量と前記送信時刻と前記受信時刻から前記第１の無線部と前記第２の無線部の通信スループットを算出し、前記送信側のバッテリー残量と前記送信先のバッテリー残量の少ないバッテリー残量を選択する。前記通信スループットから算出した前記第１の無線部と第２の無線部の消費電力量が該バッテリー残量より小さくなる前記第１の無線部の第１の通信時間と前記第２無線部の第２の通信時間を算出する。
【００１０】
送信データを送信するとき、前記第１の無線部で前記第１の通信時間送信したのち、前記第２の無線部に切り替えて前記第２の通信時間送信データの残りを送信する切替信号を出力する。
【００１１】
上記構成により、無線通信装置に搭載されるバッテリーの残量を考慮して通信方式を切り替えて消費電力を抑制する。
また、送信側の前記無線通信装置であるとき、前記切替信号に従い送信データを送信する前記第１の無線部と第２の無線部を切り替える。
【００１２】
また、前記送信先の無線通信装置であるとき、前記送信側の無線通信装置からの前記切替信号に従い前記第１の無線部と第２の無線部を切り替える。
また、前記送信先の無線通信装置であるとき、前記送信側の無線通信装置に前記受信時刻と前記送信先のバッテリー残量を送信する。
【００１３】
また、前記無線通信装置を備えた無線システムである。
【発明の効果】
【００１４】
本発明によれば、無線通信装置に搭載されるバッテリーの残量を考慮して通信方式を切り替えて消費電力を抑制することができる。
【発明を実施するための最良の形態】
【００１５】
本発明は、無線通信装置間で行なう無線データ通信にあって、無線通信装置には、通信にかかる消費電力と通信速度が異なる複数の無線通信方式を備えている。無線データ通信を開始する前に通信環境における各通信方式の実効速度を把握し、各通信方式でデータ通信するのに必要な電力量、無線通信を完了しておくべき時間の関係を管理して、通信を完了しておかないといけない時間内でバッテリーの消費が最も少なくなるように通信方式を選択する。また、無線通信装置のバッテリー残量を把握し、データ通信に必要な電力量と比較することで通信の可否を判断する。
【００１６】
以下図面に基づいて、本発明の実施形態について詳細を説明する。
（実施例１）
（構成）
図１に示す無線装置１Ａ、１Ｂは、アンテナ２ａ、アンテナ２ｂ、無線部３（第１の無線部）、無線部４（第２の無線部）、制御部５、メモリ６、無線切替部７、装置制御部８、バッテリー９から構成されている。
【００１７】
アンテナ２ａは無線部３に備えられている変復調器の無線通信方式に対応したアンテナである。アンテナ２ｂは無線部４に備えられている変復調器の無線通信方式に対応したアンテナである。
【００１８】
無線部３は、無線部４と異なる通信方式の変復調器を備えている。また、無線切替部７から転送される切替信号によって無線部４との切り替えを行い、無線通信方式を切り替える。
【００１９】
無線部４は、無線部３と異なる通信方式の変復調器を備えている。また、無線切替部７から転送される切替信号によって無線部３との切り替えを行い、無線通信方式を切り替える。
【００２０】
ここで、本例では無線部３は無線部４に比べ低消費電力で通信速度が遅い方式である。
制御部５は、マイコン（ＣＰＵ）、プログラマブルデバイスなどを用い無線装置１Ａ、１Ｂの制御を行う。また、通信制御テーブルとバッテリー９の残量に基づいて演算をし、無線切替部７に演算結果を転送する。
【００２１】
メモリ６には後述する通信制御テーブルを保存するとともに、無線通信を行うためのプログラムや、設定値、データなどが保存されている。
無線切替部７は、制御部５の指示により無線部３、無線部４の切り替えを行うための切替信号を生成する。
【００２２】
装置制御部８は無線通信の制御と利用者の操作に対しての制御などをする。また、制御部５に対し送信データを転送し、無線部３または無線部４で受信した受信データを制御部５から取得する。
【００２３】
バッテリー９は各部に電力を供給する（図１には電力線は示していない）。また、バッテリーには、バッテリー残量を検出するために制御部５に接続されている。
（送信時の動作説明）
図２は無線通信装置１Ａ、１Ｂの送信時の動作について示したフロー図である。
【００２４】
ステップＳ１では送信要求信号（ＲＴＳ：request to send）の送信を行う。通常、装置制御部８はデータ量Ｄｔを示すデータ量情報と、送信完了期限ｔｎを示す送信期限情報を生成する。
【００２５】
送信要求時は、例えば、制御部５では送信要求信号のデータフォーマットに従い、送信側無線通信装置１Ａの送信局ＩＤと受信側の受信局ＩＤ、送信要求用のサンプルデータＤｒｔｓをセットする。その後、サンプルデータＤｒｔｓを無線部３または無線部４に転送して、無線通信装置１Ａから送信要求信号を送信先の無線通信装置１Ｂに送信する。
【００２６】
また、送信側無線通信装置１Ａは、送信時の送信時刻ｔ１である送信時刻情報と送信側のバッテリー残量Ｂｍ（送信側のバッテリー残量）を制御部５のメモリまたはメモリ６などに記録する。
【００２７】
なお、サンプルデータは、例えばＣＤなどのサイズや、収録されている曲名などを用いてもよいし、送信データの先頭データや一部を用いてもよい。
ステップＳ２では受信側無線通信装置から送信される受信準備完了信号（ＣＴＳ：clear to send）を受信をする。例えば、ステップＳ１で送信要求信号を送信した送信対象の無線通信装置１Ｂから受信準備完了信号が返信されるまで待ち受け状態になり、受信を確認後ステップＳ３に移行する。ここで、受信準備完了信号にはバッテリー９の残量Ｂｎ（送信先のバッテリー残量）を示す残量情報と受信時刻ｔ２を示す受信時刻情報が含まれている。そして、残量情報と受信時刻情報は制御部５により制御部５のメモリまたはメモリ６などに記録される。
【００２８】
ステップＳ３では、送信可否判断と各無線部の送信時間を決定する。
無線通信装置の制御部５は、送信時刻情報と受信時刻情報とデータ量情報から現在使用している無線部（無線部３または無線部４）の通信スループットを算出する。式１に計算式を示す。
通信スループットＲＡ＝データ量Ｄｒｔｓ／（受信時刻ｔ２−送信時刻ｔ１）    式１
式１で算出する通信スループットＲＡ（第１の通信スループット）は無線部３の通信スループットである。次に、無線部４の通信スループットＲＢ（第２の通信スループット）を算出する。通信スループットＲＢは、式１と同様に無線部４を用いてサンプルデータＤｒｔｓを送信して求めることもできるが、通信スループットＲＡに対応した通信スループットＲＢを予め計算や実測により求めておきメモリ６に用意しておいてもよい。
【００２９】
通信スループットＲＡ、ＲＢを算出した後、ＲＡ、ＲＢに基づいて無線部３、４の単位ビットあたりの消費電力である伝送効率を式２により算出する。ここで、伝送効率を通信環境ごとに連続して算出する。連続的に無線部３と無線部４の伝送効率を算出することにより、通信環境によりどちらの無線部を使用したほうがより伝送効率のよい通信であるかを選択することができる。
【００３０】
式２に従い、各無線部３、４の伝送効率を算出する（式３、４）。
伝送効率＝消費電力／通信スループット      式２
無線部３の伝送効率＝無線部３の消費電力ＷＡ／通信スループットＲＡ      式３
無線部４の伝送効率＝無線部４の消費電力ＷＢ／通信スループットＲＢ      式４
図３（Ａ）に通信スループットＲＡ、ＲＢと伝送効率の関係をグラフに示す。消費電力ＷＡが６７．６５（ｍＷ）、ＷＢが２２００（ｍＷ）であり、通信データの条件が、データ量が４００（Ｍｂｉｔ）、送信完了期限ｔｎが１８００（秒）の場合である。
【００３１】
図３（Ａ）は縦軸に通信スループット、横軸に伝送効率を示している。無線部３は、図３（Ａ）ではＡと示し実線で示されている。無線部４は、図３（Ａ）ではＢと示し破線で示されている。また、図３（Ａ）に示した算出点１〜１２（通信環境）は、対応関係にある無線部３の通信スループットＲＡと無線部４の通信スループットＲＢの計測点（または、算出点）を示している。
【００３２】
図３（Ａ）のグラフをみると、算出点１〜５では無線部４（破線）の方が消費電力が小さくなる。
つまり、図３（Ｂ）に示した各算出点における通信スループットと伝送効率のグラフのように、算出点６で無線部３と無線部４の伝送効率が逆転する。
【００３３】
図３（Ｂ）は、通信スループットと算出点との関係を示しているとともに、伝送効率と算出点との関係も示している。縦軸に、通信スループットと伝送効率を示し、横軸に算出点を示している。
【００３４】
次に、式５〜７の条件を満たす無線部３、４の通信時間ＳＡ、ＳＢを算出する（無線部３、４それぞれの送信時間）。ここで、バッテリー残量ＢｍとＢｎを比べて残量が少ないほうを選択して式７に用いる。
ＲＡ×ＳＡ＋ＲＢ×ＳＢ＝データ量情報Ｄｔ                        式５
ＳＡ＋ＳＢ＝通信時間Ｔｎ≦送信完了期限情報ｔｎ                  式６
ＷＡ×ＳＡ＋ＷＢ×ＳＢ＝ｂｎ≦バッテリー残量ＢｎまたはＢｍ      式７
図３（Ａ）（Ｂ）の例では、算出点１〜６までは無線部４だけで通信をし、算出点７では無線部３だけで通信する。算出点８〜１２では無線部３と無線部４を併用する。式８と式９により無線部３と無線部４の通信時間を算出する。
ＳＡ＝（Ｄｔ―（ｔｎ×ＲＢ））／（ＲＡ−ＲＢ）      式８
ＳＢ＝（ｔｎ−ＲＡ）                                式９
また、上記式７の左辺ｂｎが最小になるＳＡ、ＳＢを決定し、式７が成り立たない場合通信不可になりステップＳ１に移行する。成り立っている場合にはステップＳ４に移行する。このとき制御部５から装置制御部８に送信指示を行う。
【００３５】
なお、上記通信時間ＳＡ、ＳＢは計算により求めたが、予め演算結果をテーブルに記録し、そのテーブルを用いて計算をしてもよい。
ステップＳ４では、ステップＳ３で算出した通信時間に基づいて、無線部から送信データを対象の無線通信装置に送信する。例えば、無線部３で送信する場合は通信時間ＳＡ通信を行う。また、無線部４で送信する場合は通信時間ＳＢ通信を行う。その後、通信時間経過後ステップＳ５に移行する。
【００３６】
ステップＳ５では、無線部３または無線部４の切り替えを行うための要求を送信する。例えば、無線部３で送信データをＳＡ時間通信した後、ステップＳ４で送信データを送信した無線通信装置に無線部切替要求信号を送信する。
【００３７】
ステップＳ６では、対象の無線通信装置からのＡＣＫ（Acknowledgement）信号を受信する。
ステップＳ７では、ＡＣＫ信号を受信後、送受信側の無線通信装置の無線部の切り替えを無線切替部７により行う。例えば、無線部３により通信をしていた場合は無線部４に切り替える。
【００３８】
ステップＳ８では、無線部の切り替え完了後、切り替えた無線部からデータ送信を行う。例えば、無線部３から無線部４に切り替えが行われた場合、無線部４から送信データが通信時間ＳＢ間送信される。
【００３９】
ステップＳ９では、無線部の切り替えを行うための要求を送信する。例えば、無線部４で送信データをＳＢ時間通信した後、ステップＳ８で送信データを送信した無線通信装置に無線部切替要求信号を送信する。
【００４０】
ステップＳ１０では、対象の無線通信装置からのＡＣＫ（Acknowledgement）信号を受信する。
ステップＳ１１では、ＡＣＫ信号を受信後、送受信側の無線通信装置の無線部の切り替えを無線切替部７により行う。例えば、無線部４により通信をしていた場合は無線部３に切り替える。ここで、Ｓ９、Ｓ１１ではデフォルトの無線部を選択するために無線部の切り替えをしているが、必ずしも切り替えをしなくてもよい。
（受信時の動作説明）
図４は無線通信装置の受信時の動作について示したフロー図である。
【００４１】
ステップＳ４１では送信要求信号（ＲＴＳ：request to send）の受信を行う。即ち、データ量Ｄｒｔｓが無線部３または無線部４に送信される。その際、受信時刻ｔ２を受信時刻情報として制御部５のメモリまたはメモリ６などに記録する。
【００４２】
ステップＳ４２では受信準備完了信号（ＣＴＳ：clear to send）を送信をする。ステップＳ４１で送信要求信号を送信した無線通信装置に受信準備完了信号を送信する。送信後ステップＳ４３に移行する。ここで、受信準備完了信号にはバッテリーの残量Ｂｎを示す残量情報と受信時刻ｔ２を示す受信時刻情報を制御部５によりセットする。
【００４３】
ステップＳ４３では、送信側の無線通信装置から送信された送信データを受信する。例えば、無線部３で通信時間ＳＡ間送信データを受信する。または、無線部４で通信時間ＳＢ間送信データを受信する。その後、通信時間経過後ステップＳ４４に移行する。
【００４４】
ステップＳ４４では、無線部３または無線部４の切り替えを行うための要求を受信する。例えば、無線部３で送信データをＳＡ時間受信した後、送信データを送信した無線通信装置から無線部切替要求信号を受信する。
【００４５】
ステップＳ４５では、送信側の無線通信装置にＡＣＫ（Acknowledgement）信号を送信する。
ステップＳ４６では、ＡＣＫ信号を送信後、送受信側の無線通信装置の無線部の切り替えを無線切替部７により行う。例えば、無線部３により通信をしていた場合は無線部４に切り替える。
【００４６】
ステップＳ４７では、無線部の切り替え完了後、切り替えた無線部により送信データを受信する。例えば、無線部３から無線部４に切り替えが行われた場合、無線部４により送信データを通信時間ＳＢ間受信する。
【００４７】
ステップＳ４８では、無線部の切り替えを行うための要求を受信する。例えば、無線部４で送信データをＳＢ時間受信した後、送信データを送信した無線通信装置から無線部切替要求信号を受信する。
【００４８】
ステップＳ４９では、対象の無線通信装置へＡＣＫ（Acknowledgement）信号を送信する。
ステップＳ４１０では、ＡＣＫ信号送信後、送受信側の無線通信装置の無線部の切り替えを無線切替部７により行う。例えば、無線部４により通信をしていた場合は無線部３に切り替える。ここで、Ｓ４８、Ｓ４１０ではデフォルトの無線部を選択するために無線部の切り替えをしているが、必ずしも切り替えをしなくてもよい。
【００４９】
図５に送信要求データ（ＲＴＳ）、受信準備完了データ（ＣＴＳ）、確認応答データ（ＡＣＫ）、データのフレームフォーマットを示す。
送信要求データ（ＲＴＳ）は、送信局ＩＤ、受信局ＩＤ、サンプルデータ（Ｄｒｔｓ）をセットするフィールドを有する。
【００５０】
受信準備完了データ（ＣＴＳ）は、受信局ＩＤ、バッテリー残量Ｂｎ、受信時刻ｔ２をセットするフィールドを有する。
確認応答データ（ＡＣＫ）は、受信局ＩＤをセットするフィールドを有する。
【００５１】
データは、送信局ＩＤ、受信局ＩＤ、送信データをセットするフィールドを有する。
なお、各方式によりプリアンブルフィールドやフレーム制御フィールド、デュレーションフィールドを用いてもよいし、フレームチェックなどをしてもよい。
（無線通信システムの動作説明）
図６に無線通信装置６１（図１に示した無線通信装置１Ａまたは１Ｂ）と無線通信装置６２（図１に示した無線通信装置１Ａまたは１Ｂ）の通信時の無線部切り替えのフロー図を示す。図６では無線通信装置６２側から無線通信装置６１側に対してデータを送信する場合について説明する。
【００５２】
図６の期間Ａでは、通信を開始する前に無線通信装置６２の無線部Ａ（無線部３または無線部４）から通信要求および一定量のサンプルデータＤｒｔｓを無線通信装置６１に送信する。
【００５３】
無線通信装置６２の装置制御部８から通信要求が制御部５に転送される。制御部５ではＲＴＳ信号を生成して無線部Ａに転送し、変調したＲＴＳを無線通信装置６２へ送信する。このとき送信時刻ｔ１およびバッテリー９の残量Ｂｍを記録する。
【００５４】
無線通信装置６１に送信されたＲＴＳを、無線通信装置６２の無線部Ａにより復調し、制御部５に転送する。このとき受信時刻ｔ２を記録する。次に、制御部５はバッテリー９の残量Ｂｎを確認する。バッテリー残量Ｂｎと受信時刻ｔ２をＣＴＳ信号にセットして無線通信装置６２に送信する。
【００５５】
無線通信装置６２でＣＴＳ信号を受信すると無線部Ａが復調し、データを制御部５に転送し、送信可否の判断と、無線部Ａ（無線部３）、無線部Ｂ（無線部４）を決定する。
送信可否の判断と通信時間の算出は図７と図８に示す通信制御テーブルを用いて判定をする。なお、上記送信時の動作説明のステップＳ３に示したように演算してもよい。
【００５６】
図７と図８では、無線部Ａの消費電力ＷＡが６７．７（ｍＷ）、無線部Ｂの消費電力ＷＢが２２００であり、データ量Ｄｔが５０ＭＢで送信完了期限ｔｎが３０分以内である場合について説明する。
【００５７】
例えば、無線部Ａを使用している場合、無線通信装置６２の無線部Ａから送信について通信スループットＲＡを上記式１により算出する。次に、無線部Ａを使用しているので図７（Ａ）の通信制御テーブルＡを選択する。式１の算出結果である通信スループットＲＡが０．１１０〜０．１５０（Ｍｂｐｓ）である場合、図７（Ａ）に示す通信制御テーブルＡの「算出点」に「１０」に相当する。その場合、算出点「１０」は無線部Ａと無線部Ｂを併用して用いるため、算出点「１０」に対応する通信時間ＳＡ、ＳＢを選択する。つまり、ＳＡとして「１７２１．２１」、ＳＢとして「７８．７９」を選択される。
【００５８】
ここで、無線部Ａだけの選択、無線部Ｂだけの選択、無線部ＡとＢを併用するかは、予め計算または実測して決められている。
無線部Ｂを使用していれば図７（Ｂ）の通信制御テーブルＢを選択する。また、無線部Ａをデフォルトで使用する場合には通信制御テーブルＢは必要ない。
【００５９】
次に、図８（Ａ）に示す通信制御テーブルＣを用いて、「算出点」対応する電力量を選択する。算出点「１０」の場合には、「２８９．８」を選択する。そして、バッテリー残量ＢｍまたはＢｎの残量の少ない方と比較する。その結果、バッテリー残量より消費電力量が小さければ通信を許可する。
【００６０】
無線部Ｂを使用していれば図８（Ｂ）の通信制御テーブルＤを選択する。また、無線部Ａをデフォルトで使用する場合には通信制御テーブルＤは必要ない。
図６の期間Ｂでは、無線通信装置６２から無線通信装置６１へ送信データを送信する。無線通信装置６２の装置制御部８から送信データが制御部５に転送される。その後、無線部Ａに送信データが転送される。その後、通信時間ＳＡ変調された送信データが無線通信装置６１に送信される。
【００６１】
無線通信装置６１では、無線部Ａで送信データを受信して、データを復調して制御部５に転送する。制御部５でデータを制御して装置制御部８に転送する。
送信データを送信後、無線部の切り替えが必要な場合には無線切替要求を、無線通信装置６２から無線通信装置６１に送信する。
【００６２】
データの受信が完了すると、無線通信装置６１の装置制御部８からＡＣＫを制御部５と無線部Ａを介して無線通信装置６２に転送する。
無線通信装置６２の制御部５がＡＣＫを認識すると無線切替部７に切替信号を送信して切り替えを行う。無線切替要求があった場合には無線部の切り替えを行う。例えば、無線部Ａだけを使用する場合、無線部Ｂへの切り替えは不要である。また、無線部Ｂだけを使用する場合、無線部Ａへの切り替えは不要である。
【００６３】
続いて期間Ｃでは、無線部Ａと無線部Ｂを併用しているときは、送信データの残りを無線部Ｂにより通信時間ＳＢ無線通信装置６１に転送する。
無線通信装置６１では、無線部Ｂで送信データを受信して、データを復調して制御部５に転送する。制御部５でデータを制御して装置制御部８に転送する。
【００６４】
送信データを送信後、無線部の切り替えが必要な場合には無線切替要求を、無線通信装置６２から無線通信装置６１に送信する。ただし、デフォルトで無線部３を使用しないときは切り替えを行わない。
【００６５】
データの受信が完了すると、無線通信装置６１の装置制御部８からＡＣＫを制御部５と無線部Ａを介して無線通信装置６２に転送する。
無線通信装置６２の制御部５がＡＣＫを認識すると無線切替部７に切替信号を送信して切り替えを行う。無線切替要求があった場合には無線部の切り替えを行う。例えば、無線部Ａだけを使用する場合、無線部Ｂへの切り替えは不要である。また、無線部Ｂだけを使用する場合、無線部Ａへの切り替えは不要である。
【００６６】
また、本発明は、上記実施の形態に限定されるものでなく、本発明の要旨を逸脱しない範囲内で種々の改良、変更が可能である。
【図面の簡単な説明】
【００６７】
【図１】本発明の無線通信装置の構成を示すブロック図である。
【図２】送信時の動作を示すフロー図である。
【図３】（Ａ）通信スループットと単位データあたりの消費電力の関係を示すグラフである。（Ｂ）算出点と通信スループットと伝送効率の関係を示すグラフである。
【図４】受信時の動作を示すフロー図である。
【図５】データフォーマットを示す図である。
【図６】無線システムの送受信の関係を示す図である。
【図７】（Ａ）無線部３の通信スループットと通信時間の通信制御テーブルを示す図である。（Ｂ）無線部４の通信スループットと通信時間の通信制御テーブルを示す図である。
【図８】（Ａ）無線部３の通信スループットと電力量の通信制御テーブルを示す図である。（Ｂ）無線部４の通信スループットと電力量の通信制御テーブルを示す図である。
【符号の説明】
【００６８】
１  無線通信装置、２  アンテナ、３  無線部、４  無線部、５  制御部、
６  メモリ、７  無線切替部、８  装置制御部、９  バッテリー
【図１】
2009135706.tif 000003
【図２】
2009135706.tif 000004
【図４】
2009135706.tif 000005
【図５】
2009135706.tif 000006
【図８】
2009135706.tif 000007
【図３】
2009135706.tif 000008
【図６】
2009135706.tif 000009
【図７】
2009135706.tif 000010